(57)【要約】【課題】挿通孔とコンセントとの位置関係に制約されないペット用クッションハウスの位置方向の自由度を確保する。【解決手段】出入り口を有した覆い部が、座部外周の一側に縫製され、該覆い部と座部との他側に設けた両開きファスナー部を介して開口自在にしてなるペット用クッションハウス。【選択図】  図３
0003114947.tif 000002
【実用新案登録請求の範囲】
【請求項１】
折曲可能な座部と、出入り口を有した弾性体からなる覆い部とからなり、該覆い部が該覆い部と該座部との外周に設けた接合部を介して着脱自在にしてなるペット用クッションハウス。
【請求項２】
折曲可能な座部と、出入り口を有した弾性体からなる覆い部とからなり、該覆い部が該座部外周の一側に縫製され、該覆い部と該座部との他側に設けた接合部を介して開口自在にしてなるペット用クッションハウス。
【請求項３】
折曲可能な座部と、出入り口を有した弾性体からなる覆い部とからなり、該覆い部が該座部外周の一側に縫製され、該覆い部と該座部との他側に設けた両開きファスナー部を介して開口自在にしてなるペット用クッションハウス
【考案の詳細な説明】
【技術分野】
【０００１】
本考案は、ペット用クッションハウスに関し、特にペット用ホットカーペットを入れて使用するペット用クッションハウスに関するものである。
【背景技術】
【０００２】
従来から砲弾状の底面クッション部に、前面に正面視略楕円形の切り欠けを設けて入り口とした弾性体からなる略台形状の覆い部が被せられ、該覆い部がそのクッション部と一体化してなるペット用クッションハウスが知られている。このペット用クッションハウスは、該覆い部の底面近傍に、内部に収納する電気機器の電気コードの挿通孔を形成している。
【０００３】
ヒーター等の電気機器を使用する際は、該底面クッション部上に載置した電気機器のコードを挿通孔より引き出して使用するよう構成されている。（例えば、特許文献１を参照）
【特許文献１】登録実用新案第３００８１８６号公報
【考案の開示】
【考案が解決しようとする課題】
【０００４】
前述した電気コードの挿通孔は、該覆い部の底面近傍の予め一定の位置に設定されている構造となっている。そのため、該ペット用クッションハウスの位置方向が、該挿通孔とコンセントとの位置関係によって制約されてしまうことがある。
また、該位置関係から、該挿通孔より電気コードが不必要に長くなってしまい見栄えが悪くなってしまうこともあった。
【０００５】
本考案は、上記の事情に鑑みてなされたもので、該位置関係による制約に関係なく、また見栄えをもよくするペット用クッションハウスを提供することを目的とする。
【課題を解決するための手段】
【０００６】
前記課題を解決するため請求項１記載の考案にあっては、折曲可能な座部と、出入り口を有した弾性体からなる覆い部とからなり、該覆い部が該覆い部と該座部との外周に設けた接合部を介して着脱自在にしてなるペット用クッションハウス。
【０００７】
前記課題を解決するため請求項２記載の考案にあっては、折曲可能な座部と、出入り口を有した弾性体からなる覆い部とからなり、該覆い部が該座部外周の一側に縫製され、該覆い部と該座部との他側に設けた接合部を介して開口自在にしてなるペット用クッションハウス。
【０００８】
前記課題を解決するため請求項３記載の考案にあっては、出入り口を有した弾性体からなる覆い部とからなり、該覆い部が該座部外周の一側に縫製され、該覆い部と該座部との他側に設けた両開きファスナー部を介して開口自在にしてなるペット用クッションハウス。
【考案の効果】
【０００９】
請求項１に記載の考案によれば、該覆い部と該座部との外周に設けた接合部を介して着脱自在にしてなるので、電器機器の収容を該位置関係による制約に関係なく簡便にできる。
【００１０】
請求項２に記載の考案によれば、該覆い部が該座部外周の一側に縫製され、該覆い部と該座部との他側に設けた接合部を介して開口自在にしてなるので、分離することなく、電器機器の収容を該位置関係による制約に関係なく簡便にできる。
【００１１】
請求項３に記載の考案によれば、該覆い部が該座部外周の一側に縫製され、該覆い部と該座部との他側に設けた両開きファスナー部を介して開口自在にしてなるので、分離することなく、電器機器の収容を該位置関係による制約に関係なく簡便にできるとともに、電気コードを任意の位置より最短分のみ引き出すことができるので、見栄えが良くなる。
【考案を実施するための最良の形態】
【００１２】
以下、本考案の一実施形態を図に従って説明する。図１及び図２は本考案のペット用クッションハウス１を正面側より示した斜視図であり、図１はヒーター等の電器機器２を載置する前の状態を示し、図２はヒーター等の電器機器２を載置した状態を示している。また図３は本考案のペット用クッションハウス１にヒーター等の電器機器２を収納する状態を底面側より示した斜視図である。
さらにまた、図４は同実施形態におけるヒーター等の電器機器のコードを両開きファスナー部より引き出した状態を示す部分拡大図である。
【００１３】
ペット用クッションハウス１は弾性体からなる覆い部３と、折曲可能な座部４とから構成されている。
なお、本考案で用いる素材は、それぞれ弾性、折曲ができる素材であれば良い。
【００１４】
長方形状座部４に、前面に正面視略隅丸正方形状の切欠きを設けて入り口６とした略正方形状覆い部３が被せられ、該覆い部３が、その底辺において当該座部４外周面の一側面５に縫製され、該座部４と結合される構成になっている。
【００１５】
そして該座部４は、該覆い部３と該座部４との外周に縫着された両開きファスナー７を介して、該覆い部３と一体化してなる構成となっている。また、該両開きファスナー７は面ファスナーを用いても良い。
【００１６】
かかる構成において、図３に示したように、このペット用クッションハウス１では、座部４の外周に両開きファスナー７の一方７ａを設け、該座部４の外周に対応する覆い部３の外周にファスナー７ｂを設け、相互に任意の位置まで開口自在にしている。
【００１７】
その為、ヒーター等の電器機器２をペット用クッションハウス１に収納する際は、位置関係による制約に関係なく簡便にできる。
【００１８】
図２に示したペット用クッションハウス１は、ヒーター等の電器機器２を該ペット用クッションハウス１に収容し、座部４の上に載置してなるヒーター等の電器機器２を使用する為、図４に示した電気コード８を両開きファスナー７の間から電気コード８を引き出した該ペット用クッションハウス全体の状態を示すものである。
【００１９】
つまり、かかる状態においてヒーター等の電器機器２を使用する際は、電気コード８を覆い部３と座部４との外周に設けられた両開きファスナー７の任意の位置を開口させ、該開口部より電気コード８を引き出せば、ヒーター等の電器機器２の収容を該位置関係による制約に関係なく簡便にできるとともに、電気コード８を任意の位置より最短分のみ引き出すことができるので、見栄え良く使用することができる。
【図面の簡単な説明】
【００２０】
【図１】同実施形態におけるヒーター等の電器機器を載置する前の状態を示す正面側より示した斜視図である。
【図２】同実施形態におけるヒーター等の電器機器を載置した状態を示す正面側より示した斜視図である。
【図３】同実施形態におけるヒーター等の電器機器を収納する状態を底面側より示した斜視図である。
【図４】同実施形態におけるヒーター等の電器機器のコードを両開きファスナー部より引き出した状態を示す部分拡大図である。
【符号の説明】
【００２１】
１  ペット用クッションハウス
２  ヒーター等の電器機器
３  覆い部
４  座部
５  外周面の一側面
６  入り口
７  両開きファスナー
７aファスナー
７ｂファスナー
８  電気コード
【図１】
0003114947.tif 000003
【図２】
0003114947.tif 000004
【図３】
0003114947.tif 000005
【図４】
0003114947.tif 000006